【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】
絞りを挟んで前群レンズ群と後群レンズ群とよりなり、前記前群レンズ群は、物体側より順に、負の屈折力の第１レンズと、曲率半径の小さな面を物体側へ向けた正の屈折力の第２レンズとからなり、前記後群レンズ群は、曲率半径の小さな面を像側へ向けた正の屈折力の第３レンズと、正の屈折力の第４レンズと負の屈折力の第５レンズとからなり、前記第４レンズと前記第５レンズとは接合され、ｆを全系の合成焦点距離、ｆ3 を第３レンズの焦点距離としたとき、以下の条件式（１）を満足することを特徴とする内視鏡用対物レンズ。
（１）2.0 < | ｆ3 / f | < 3.0
【請求項２】
ｄFを第１レンズの曲率半径の大きな面の面頂から絞りまでの距離（空気換算長）、ＩＨを撮像面上での最大像高としたとき、以下の条件式（２）、（３）を満足することを特徴とする請求項１に記載の内視鏡用対物レンズ。
（２）1.0 < | ｄF / ｆ | < 1.8
（３）0.8 < IH / f < 1.2
【手続補正２】
【補正対象書類名】明細書
【補正対象項目名】００１２
【補正方法】変更
【補正の内容】
【００１２】
【課題を解決するための手段】
本発明は、内視鏡用対物レンズにおいて絞りを挟んで前群レンズ群と後群レンズ群とよりなり、前記前群レンズ群は、物体側より順に、負の屈折力の第１レンズと、曲率半径の小さな面を物体側へ向けた正の屈折力の第２レンズとからなり、前記後群レンズ群は、曲率半径の小さな面を像側へ向けた正の屈折力の第３レンズと、正の屈折力の第４レンズと負の屈折力の第５レンズとからなり、前記第４レンズと前記第５レンズとは接合され、ｆを全系の合成焦点距離、ｆ3を第３レンズの焦点距離としたとき、以下の条件式（１）を満足することを特徴とする。
（１）  2.0 < | ｆ3 / f | < 3.0
【手続補正３】
【補正対象書類名】明細書
【補正対象項目名】００１８
【補正方法】変更
【補正の内容】
【００１８】
また、本発明の対物レンズにおいては前記の条件式（１）乃至（３）の他に、正の屈折率の第３レンズの物体側の面を平面で構成し、または次の条件式（４）乃至（６）、及び（６'）のいずれか一つ以上を満足するように構成すると、性能上及び組立上一層好ましい構成が得られる。
（４）3.0 < |ｆ2 / f | < 10.0
（５）n2 < 1.6, ν2 > 50
（６）1.2 < ｄ23 / ｆ < 1.7
（６'）1.3 < ｄ23 / ｆ < 1.6
ただし、ｆ2 は第２レンズの焦点距離、ｎ2 は第２レンズのｄ線の屈折率、ν2 は第２レンズのｄ線のアッベ数、ｄ23は第２レンズの曲率半径の小さな面の面頂から第３レンズの曲率半径の小さな面の面頂までの距離（空気換算長）である。
【手続補正４】
【補正対象書類名】明細書
【補正対象項目名】００２６
【補正方法】変更
【補正の内容】
【００２６】
数値データ１
（実施例１：図６）
焦点距離ｆ＝１mm、  Fno.＝3.67、  画角ω=108°
ｒ1＝∞
ｄ1＝0.3507      ｎd1＝1.883      νd1＝40.76
ｒ2＝0.8101
ｄ2＝0.5436
ｒ3＝1.9831
ｄ3＝0.8767      ｎd3＝1.514      νd3＝75
ｒ4＝∞（絞り）
ｄ4＝0.0526
ｒ5＝∞
ｄ5＝1.4027      ｎd5＝1.883      νd5＝40.76
ｒ6＝−2.062
ｄ6＝0.2104
ｒ7＝3.0106
ｄ7＝1.4027      ｎd7＝1.755      νd7＝52.32
ｒ8＝−1.2975
ｄ8＝0.4384      ｎd8＝1.92286    νd8＝18.9
ｒ9＝−6.8418
ｄ9＝0.5786
ｒ10＝∞
ｄ10＝0.7014      ｎd10＝1.51633    νd10＝64.14
ｒ11＝∞
ｄ11＝0.447 
| f2 / f | = 3.86、| f3 / f | = 2.34、 | dF / f | =1.31、
IH / f = 0.84、d23 / ｆ = 1.38
【手続補正５】
【補正対象書類名】明細書
【補正対象項目名】００２８
【補正方法】変更
【補正の内容】
【００２８】
数値データ２
（実施例２：図７）
焦点距離ｆ＝１mm、  Fno.＝3.68、  画角ω=115°
ｒ1＝∞
ｄ1＝0.3639      ｎd1＝1.883      νd1＝40.76
ｒ2＝0.8407
ｄ2＝0.5277
ｒ3＝2.4321
ｄ3＝0.9099      ｎd3＝1.514      νd3＝75
ｒ4＝∞（絞り）
ｄ4＝0.0546
ｒ5＝∞
ｄ5＝1.4194      ｎd5＝1.7725     νd5＝49.6
ｒ6＝−1.8361
ｄ6＝0.2184
ｒ7＝2.7328
ｄ7＝1.3648      ｎd7＝1.72916    νd7＝54.68
ｒ8＝−1.2793
ｄ8＝0.4549      ｎd8＝1.84666    νd8＝23.78
ｒ9＝−11.569
ｄ9＝0.5699
ｒ10＝∞
ｄ10＝0.7279     ｎd10＝1.51633    νd10＝64.14
ｒ11＝∞
ｄ11＝0.4639
| f2 / f | = 4.73、| f3 / f | = 2.38、| dF / f | =1.32、IH / f = 0.87、
d23 / ｆ = 1.46
【手続補正６】
【補正対象書類名】明細書
【補正対象項目名】００３０
【補正方法】変更
【補正の内容】
【００３０】
数値データ３
（実施例３：図８）
焦点距離ｆ＝１mm、  Fno.＝3.55、  画角ω=131°
ｒ1＝∞
ｄ1＝0.3941      ｎd1＝1.883      νd1＝40.76
ｒ2＝0.871
ｄ2＝0.6897
ｒ3＝2.0099
ｄ3＝1.1823      ｎd3＝1.51633    νd3＝64.14
ｒ4＝∞（絞り）
ｄ4＝0.0591
ｒ5＝∞
ｄ5＝1.1429      ｎd5＝1.883      νd5＝40.76
ｒ6＝−2.4681
ｄ6＝0.2168
ｒ7＝4.2177
ｄ7＝1.3794      ｎd7＝1.755      νd7＝52.32
ｒ8＝−1.4582
ｄ8＝0.4335      ｎd8＝1.92286    νd8＝18.9
ｒ9＝−3.6015
ｄ9＝0.8553
ｒ10＝∞
ｄ10＝0.7882     ｎd10＝1.883     νd10＝40.76
ｒ11＝∞
ｄ11＝0.5023
| f2 / f | = 3.89、| f3 / f | = 2.8、| dF / f | =1.68、 IH / f = 0.94、
d23 / ｆ = 1.45
【手続補正７】
【補正対象書類名】明細書
【補正対象項目名】００３２
【補正方法】変更
【補正の内容】
【００３２】
数値データ４
（実施例４：図９）
焦点距離ｆ＝１mm、  Fno.＝3.54、  画角ω=130°
ｒ1＝∞
ｄ1＝0.3969      ｎd1＝1.883      νd1＝40.76
ｒ2＝0.9061
ｄ2＝0.6945
ｒ3＝2.512
ｄ3＝0.9922      ｎd3＝1.51633    νd3＝64.14
ｒ4＝32.2766
ｄ4＝0.0595
ｒ5＝∞（絞り）
ｄ5＝1.389       ｎd5＝1.883      νd5＝40.76
ｒ6＝−1.9069
ｄ6＝0.2381
ｒ7＝4.9854
ｄ7＝1.5875      ｎd7＝1.755      νd7＝52.32
ｒ8＝−1.4684
ｄ8＝0.4961      ｎd8＝1.92286    νd8＝18.9
ｒ9＝−5.1195
ｄ9＝0.4384
ｒ10＝∞
ｄ10＝0.7937     ｎd10＝1.51633    νd10＝64.14
ｒ11＝∞
ｄ11＝0.5059
| f2 / f | = 5.22、| f3 / f | = 2.16、| dF / f | =1.56、 IH / f = 0.95、
d23 / ｆ = 1.45 
【手続補正８】
【補正対象書類名】明細書
【補正対象項目名】００３４
【補正方法】変更
【補正の内容】
【００３４】
数値データ５
（実施例５：図１０）
焦点距離ｆ＝１mm、  Fno.＝3.66、  画角ω=115°
ｒ1＝∞
ｄ1＝0.3592      ｎd1＝1.883       νd1＝40.76
ｒ2＝0.8188
ｄ2＝0.5567
ｒ3＝1.5696
ｄ3＝1.1562      ｎd3＝1.514       νd3＝75
ｒ4＝∞（絞り）
ｄ4＝0.0539
ｒ5＝∞
ｄ5＝1.2571      ｎd5＝1.883       νd5＝40.76
ｒ6＝−2.6256
ｄ6＝0.2155
ｒ7＝2.6054
ｄ7＝1.4367      ｎd7＝1.755       νd7＝52.32
ｒ8＝−1.329
ｄ8＝0.449       ｎd8＝1.92286     νd8＝18.9
ｒ9＝−5.1462
ｄ9＝0.5397
ｒ10＝∞
ｄ10＝0.7184     ｎd10＝1.51633     νd10＝64.14
ｒ11＝∞
ｄ11＝0.4578
| f2 / f | = 3.05、 | f3 / f | = 2.97、 | dF / f | =1.51、
IH / f = 0.86、d23 / ｆ = 1.49
【手続補正９】
【補正対象書類名】明細書
【補正対象項目名】００３６
【補正方法】変更
【補正の内容】
【００３６】
数値データ６
（実施例６：図１１）
焦点距離ｆ＝１mm、  Fno.＝3.67、  画角ω=115°
ｒ1＝∞
ｄ1＝0.364      ｎd1＝1.883      νd1＝40.76
ｒ2＝0.8044
ｄ2＝0.5096
ｒ3＝2.0164
ｄ3＝0.9099      ｎd3＝1.514     νd3＝75
ｒ4＝∞（絞り）
ｄ4＝0.0546
ｒ5＝∞
ｄ5＝0.2184
ｒ6＝∞
ｄ6＝1.0919      ｎd6＝1.883     νd6＝40.76
ｒ7＝−2.0164
ｄ7＝0.2184
ｒ8＝2.9864
ｄ8＝1.3649      ｎd8＝1.755     νd8＝52.32
ｒ9＝−1.3467
ｄ9＝0.4004      ｎd9＝1.92286   νd9＝18.9
ｒ10＝−9.0901
ｄ10＝0.6733
ｒ11＝∞
ｄ11＝0.7279     ｎd11＝1.883     νd11＝40.76
ｒ12＝∞
ｄ12＝0.4639
| f2 / f | = 3.92、 | f3 / f | = 2.28、| dF / f | =1.3、
IH / f = 0.87、 d23 / ｆ = 1.45
【手続補正１０】
【補正対象書類名】明細書
【補正対象項目名】００３８
【補正方法】変更
【補正の内容】
【００３８】
数値データ７
（実施例７：図１２）
焦点距離ｆ＝１mm、  Fno.＝3.71、  画角ω=117°
ｒ1＝∞
ｄ1＝0.3641      ｎd1＝1.883      νd1＝40.76
ｒ2＝0.841
ｄ2＝0.273 
ｒ3＝2.048
ｄ3＝0.9101      ｎd3＝1.48749    νd3＝70.23
ｒ4＝∞（絞り）
ｄ4＝0.0546
ｒ5＝∞
ｄ5＝0.2184
ｒ6＝∞
ｄ6＝1.0558      ｎd6＝1.7725    νd6＝49.6
ｒ7＝−1.5665
ｄ7＝0.1092
ｒ8＝2.5939
ｄ8＝1.0922      ｎd8＝1.72916   νd8＝54.68
ｒ9＝−1.2742
ｄ9＝0.3641      ｎd9＝1.84666   νd9＝23.78
ｒ10＝−20.5007
ｄ10＝0.6553
ｒ11＝∞
ｄ11＝0.7281     ｎd11＝1.883     νd11＝40.76
ｒ12＝∞
ｄ12＝0.464 
| f2 / f | =4.2、 | f3 / f | = 2.03、 | dF / f | =1.08、 IH / f = 0.87、
d23 / ｆ = 1.48
【手続補正１１】
【補正対象書類名】明細書
【補正対象項目名】００４０
【補正方法】変更
【補正の内容】
【００４０】
数値データ８
（実施例８：図１３）
焦点距離ｆ＝１mm、  Fno.＝3.67、  画角ω=116°
ｒ1＝∞
ｄ1＝0.3631      ｎd1＝1.883       νd1＝40.76
ｒ2＝0.8024
ｄ2＝0.3631
ｒ3＝2.1189
ｄ3＝0.7262      ｎd3＝1.51633     νd3＝64.14
ｒ4＝∞
ｄ4＝0.2723
ｒ5＝∞（絞り）
ｄ5＝0.0545
ｒ6＝∞
ｄ6＝1.4523      ｎd6＝1.883       νd6＝40.76
ｒ7＝−1.9299
ｄ7＝0.2178
ｒ8＝2.9537
ｄ8＝1.1269      ｎd8＝1.72916     νd8＝54.68
ｒ9＝−1.3051
ｄ9＝0.7         ｎd9＝1.84666     νd9＝23.78
ｒ10＝−10.753
ｄ10＝0.6789
ｒ11＝∞
ｄ11＝0.7262     ｎd11＝1.883       νd11＝40.76
ｒ12＝∞
ｄ12＝0.4628
| f2 / f | =4.1、 | f3 / f | = 2.19、 | dF / f | =1.31、IH / f = 0.87、
d23 / ｆ = 1.58
【手続補正１２】
【補正対象書類名】明細書
【補正対象項目名】００４２
【補正方法】変更
【補正の内容】
【００４２】
数値データ９
（実施例９：図１４）
焦点距離ｆ＝１mm、  Fno.＝3.68、  画角ω=117°
ｒ1＝∞
ｄ1＝0.3693      ｎd1＝1.883       νd1＝40.76
ｒ2＝0.8161
ｄ2＝0.6093
ｒ3＝3.763
ｄ3＝1.2002      ｎd3＝1.51633     νd3＝64.14
ｒ4＝∞（絞り）
ｄ4＝0.0554
ｒ5＝∞
ｄ5＝1.3848      ｎd5＝1.883       νd5＝40.76
ｒ6＝−2.2449
ｄ6＝0.1662
ｒ7＝4.1581
ｄ7＝1.1078      ｎd7＝1.755       νd7＝52.32
ｒ8＝−1.3663
ｄ8＝0.4062      ｎd8＝1.84666     νd8＝23.78
ｒ9＝−6.4729
ｄ9＝0.1477
ｒ10＝∞
ｄ10＝1.1078     ｎd10＝1.494       νd10＝75
ｒ11＝∞
ｄ11＝0.541 
ｒ12＝∞
ｄ12＝0.7386     ｎd12＝1.883       νd12＝40.76
ｒ13＝∞
ｄ13＝0.4707
| f2 / f | =7.29、| f3 / f | = 2.54、| dF / f | =1.6、 IH / f = 0.88、
d23 / ｆ = 1.58
【手続補正１３】
【補正対象書類名】明細書
【補正対象項目名】００４３
【補正方法】変更
【補正の内容】
【００４３】
図１５は、本発明による内視鏡用対物レンズの第１０実施例に係るレンズ構成を示す光軸に沿った断面図である。
図において、実施例１０の対物レンズ系は、明るさ絞りＳを挟んで前群レンズ群Ｇ１０１と後群レンズ群Ｇ１０２よりなる。前群レンズ群Ｇ１０１は、物体側から順に負の屈折力を有する第１レンズＬ１０１と曲率半径の小さな面を物体側へ向けた正の屈折力の第２レンズＬ１０２とからなり、前記後群レンズ群Ｇ１０２は、曲率半径の小さな面を像側へ向けた正の屈折力の第３レンズＬ１０３と、正の屈折力の第４レンズＬ１０４と負の屈折力の第５レンズＬ１０５とからなる。第４レンズＬ１０４と第５レンズＬ１０５は接合されている。前記の絞りＳは第２レンズＬ１０２側に配置されている。第３レンズＬ１０３と第４レンズＬ１０４の間にはフイルタＦＬが設けられている。そして第５レンズ１０５の後方に平行平面板ＰＰが設けられている。前記フイルターＦＬは赤外カットフイルターである。
【手続補正１４】
【補正対象書類名】明細書
【補正対象項目名】００４４
【補正方法】変更
【補正の内容】
【００４４】
数値データ１０
（実施例１０：図１５）
焦点距離ｆ＝１mm、  Fno.＝3.6１、  画角ω=118°
ｒ1＝∞
ｄ1＝0.3631       ｎd1＝1.883        νd1＝40.76
ｒ2＝0.7413
ｄ2＝0.3268
ｒ3＝2.1268
ｄ3＝1.18         ｎd3＝1.51633      νd3＝64.14
ｒ4＝∞（絞り）
ｄ4＝0.0545
ｒ5＝∞
ｄ5＝0.9077       ｎd5＝1.883        νd5＝40.76
ｒ6＝−1.779
ｄ6＝0.0545
ｒ7＝∞
ｄ7＝1.0892       ｎd7＝1.518        νd7＝75
ｒ8＝∞
ｄ8＝0.0545
ｒ9＝2.4284
ｄ9＝1.0892       ｎd9＝1.72916      νd9＝54.68
ｒ10＝−1.3261
ｄ10＝0.3631      ｎd10＝1.84666      νd10＝23.78
ｒ11＝−13.3039
ｄ11＝0.5319
ｒ12＝∞
ｄ12＝0.7261      ｎd12＝1.883        νd12＝40.76
ｒ13＝∞
ｄ13＝0.4628
| f2 / f | =4.12、| f3 / f | = 2.01、| dF / f | =1.3、IH / f = 0.87、
d23 / ｆ = 1.31
【手続補正１５】
【補正対象書類名】明細書
【補正対象項目名】００４６
【補正方法】変更
【補正の内容】
【００４６】
数値データ１１
（実施例１１：図１６）
焦点距離ｆ＝１mm、  Fno.＝3.65、  画角ω=131°
ｒ1＝∞
ｄ1＝0.3917       ｎd1＝1.883        νd1＝40.76
ｒ2＝0.8657
ｄ2＝0.4896
ｒ3＝4.5973
ｄ3＝0.8813       ｎd3＝1.51633      νd3＝64.14
ｒ4＝∞
ｄ4＝0.5876       ｎd4＝1.52287      νd4＝59.89
ｒ5＝∞（絞り）
ｄ5＝0.0588
ｒ6＝∞
ｄ6＝0.9947       ｎd6＝1.883        νd6＝40.76 
ｒ7＝−1.9516
ｄ7＝0.0588
ｒ8＝∞
ｄ8＝1.1751      ｎd8＝1.518         νd8＝75
ｒ9＝∞
ｄ9＝0.0588
ｒ10＝3.029 
ｄ10＝1.1751       ｎd10＝ 1.72916    νd10＝54.68
ｒ11＝−1.4244
ｄ11＝0.3917       ｎd11＝1.84666     νd11＝23.78
ｒ12＝−10.1498
ｄ12＝0.6724
ｒ13＝∞
ｄ13＝0.7834       ｎd13＝1.883       νd13＝40.76
ｒ14＝∞
ｄ14＝0.4993
| f2 / f | =8.9、| f3 / f | = 2.21、| dF / f | =1.66、IH / f = 0.94、
d23 / ｆ = 1.55
【手続補正１６】
【補正対象書類名】明細書
【補正対象項目名】００５０
【補正方法】変更
【補正の内容】
【００５０】
（Ｂ）次の条件式（５）を満足していることを特徴とする、請求項２に記載の対物レンズ。
（５）n2 < 1.6, ν2 > 50
ただし、n2 は第２レンズのｄ線の屈折率、ν2 は第２レンズのｄ線のアッベ数である。
【手続補正１７】
【補正対象書類名】明細書
【補正対象項目名】００５３
【補正方法】変更
【補正の内容】
【００５３】
（Ｅ）次の条件式（５）を満足していることを特徴とする、請求項１に記載の対物レンズ。
（５）n2 < 1.6, ν2 > 50
ただし、n2 は第２レンズのｄ線の屈折率、ν2 は第２レンズのｄ線のアッベ数である。
【手続補正１８】
【補正対象書類名】明細書
【補正対象項目名】図１
【補正方法】変更
【補正の内容】
【図１】
内視鏡の先端部レイアウトの概略部分断面図である。
【手続補正１９】
【補正対象書類名】明細書
【補正対象項目名】図２
【補正方法】変更
【補正の内容】
【図２】
一般的なオンチップカラーフイルター方式ＣＣＤの断面図である。
【手続補正２０】
【補正対象書類名】明細書
【補正対象項目名】図３
【補正方法】変更
【補正の内容】
【図３】
従来例における内視鏡用光学系の概略構成図である。
【手続補正２１】
【補正対象書類名】明細書
【補正対象項目名】図４
【補正方法】変更
【補正の内容】
【図４】
従来例における内視鏡用光学系の概略構成図である。
【手続補正２２】
【補正対象書類名】明細書
【補正対象項目名】図５
【補正方法】変更
【補正の内容】
【図５】
従来例における内視鏡用光学系の概略構成図である。